(57)【要約】【課題】液晶表示パネルの境界の両側において表示輝度の不連続性を軽減することができるマルチディスプレイ装置の提供。【解決手段】２枚の液晶表示パネル１０Ａ，１０Ｂを上下方向に並置してマルチディスプレイ装置を構成する場合、上側の液晶表示パネル１０Ａにおいてソースドライバ１０６Ａが設けられていない下側の周縁領域と、下側の液晶表示パネル１０Ｂにおいてソースドライバ１０６Ｂが設けられていない上側の周縁領域とが隣り合うようにパネルの配置を行う。このような配置とすることにより、境界の両側にある液晶素子への電圧の印加条件を略等しくすることができる。【選択図】図１
2014032314.tif 000002
【特許請求の範囲】
【請求項１】
共通電極と複数の画素電極との間に液晶物質を有する矩形状の液晶表示パネルを複数並置してなり、各液晶表示パネル周縁の隣り合う２辺夫々に沿う各領域に、映像信号を供給すべき画素電極を選択する第１駆動回路、及び該第１駆動回路が選択した画素電極に対して映像信号を供給する第２駆動回路を設けてあるマルチディスプレイ装置において、
前記第１駆動回路（又は前記第２駆動回路）を設けた領域同士が隣り合うように並置した少なくとも２つの液晶表示パネル
を備えることを特徴とするマルチディスプレイ装置。
【請求項２】
共通電極と複数の画素電極との間に液晶物質を有する矩形状の液晶表示パネルを複数並置してなり、各液晶表示パネル周縁の隣り合う２辺夫々に沿う各領域に、映像信号を供給すべき画素電極を選択する第１駆動回路、及び該第１駆動回路が選択した画素電極に対して映像信号を供給する第２駆動回路を設けてあるマルチディスプレイ装置において、
前記第１駆動回路（又は前記第２駆動回路）を設けていない領域同士が隣り合うように並置した少なくとも２つの液晶表示パネル
を備えることを特徴とするマルチディスプレイ装置。
【請求項３】
第１駆動回路と第２駆動回路との位置関係が互いに異なる２種類の液晶表示パネルを隣り合わせて並置してあることを特徴とする請求項１又は請求項２に記載のマルチディスプレイ装置。
【請求項４】
各液晶表示パネルは、
前記共通電極に対して共通電圧を印加する手段と、
前記第１駆動回路が選択した画素電極に対して前記共通電圧より高い第１電圧と前記共通電圧より低い第２電圧とを周期的に交互に印加する手段と
を備え、
一の液晶表示パネルにおける他の液晶表示パネル寄りの領域にて、前記第１電圧を印加した場合の表示輝度と前記第２電圧を印加した場合の表示輝度との差が小さくなるように、前記一の液晶表示パネルの共通電極に印加すべき共通電圧の大きさを調整する電圧調整手段
を備えることを特徴とする請求項１から３の何れか１つに記載のマルチディスプレイ装置。
【発明の詳細な説明】
【技術分野】
【０００１】
本発明は、複数の液晶表示パネルを備えたマルチディスプレイ装置に関する。
【背景技術】
【０００２】
液晶表示装置は、コンピュータのディスプレイ、テレビジョン受像機、及び各種の情報を表示する情報ディスプレイ等に広く利用されている。
近年、複数の表示パネルを並置して、それぞれの表示パネルに１枚の画像の一部ずつを表示することによって、大画面表示を行うマルチディスプレイ装置が開発されている。このマルチディスプレイ装置を構成する表示パネルには、液晶表示パネルが利用されることがある。
【０００３】
このようなマルチディスプレイ装置において、隣接する液晶表示パネル同士の輝度や色合いの差が目立つことを抑制するために、例えば、特許文献１に開示されている画面調整方法が存在する。特許文献１では、マルチディスプレイ装置において、画面の境界領域の画像が同じになるように調整する。９画面構成のマルチディスプレイの場合、中央のディスプレイについて最初に調整を行い、その後、周辺のディスプレイの調整を行う。
【先行技術文献】
【特許文献】
【０００４】
【特許文献１】特開２００１−９２４３１号公報
【発明の概要】
【発明が解決しようとする課題】
【０００５】
公共スペースに設置された情報ディスプレイ等、多数の視聴者に表示画像が閲覧される表示装置では、画質が保たれるように、画面を均一にしておくことが好ましい。複数の表示パネルを使用するマルチディスプレイ装置では、表示パネルと表示パネルとの間に境界が存在しており、各表示パネルの個体のばらつきに伴い、境界付近で画質が明らかに不連続となるといった問題が生じていた。
【０００６】
特許文献１のマルチディスプレイの場合、例えば、縦横に２枚ずつ配列された４画面構成の場合、左上のディスプレイ装置から時計回りに、１枚目及び２枚目のディスプレイ装置、２枚目及び３枚目のディスプレイ装置、３枚目及び４枚目のディスプレイ装置の順序で調整を行い、境界部分を目立たなくすることはできる。
しかしながら、４枚目及び１枚目のディスプレイ装置の境界領域の差が大きくなり、マルチディスプレイ全体として輝度や色合いを調整するには、上記処理を繰り返し、差が小さくなる条件を見つける必要がある。すなわち、特許文献１に記載された技術では、画素に印加され電圧値の鈍りが考慮されていないので、マルチディスプレイ全体として調整を行うには非常に時間を要する。
【０００７】
本発明は、斯かる事情に鑑みてなされたものであり、液晶表示パネルの境界の両側において表示輝度の不連続性を軽減することができるマルチディスプレイ装置を提供することを目的とする。
【課題を解決するための手段】
【０００８】
本発明に係るマルチディスプレイ装置は、共通電極と複数の画素電極との間に液晶物質を有する矩形状の液晶表示パネルを複数並置してなり、各液晶表示パネル周縁の隣り合う２辺夫々に沿う各領域に、映像信号を供給すべき画素電極を選択する第１駆動回路、及び該第１駆動回路が選択した画素電極に対して映像信号を供給する第２駆動回路を設けてあるマルチディスプレイ装置において、前記第１駆動回路（又は前記第２駆動回路）を設けた領域同士が隣り合うように並置した少なくとも２つの液晶表示パネルを備えることを特徴とする。
【０００９】
本発明にあっては、マルチディスプレイ装置を構成する少なくとも２つの液晶表示パネルを、第１駆動回路（又は第２駆動回路）を設けた領域同士が隣り合うように並置しているので、パネルの境界の両側にある画素までの信号の伝送距離は隣り合わせたパネル間で略等しくなる。この結果、パネルの境界の両側にある画素間で液晶素子に印加される電圧の大きさは近くなり、境界付近において表示輝度の不連続性が軽減される。
【００１０】
本発明に係るマルチディスプレイ装置は、共通電極と複数の画素電極との間に液晶物質を有する矩形状の液晶表示パネルを複数並置してなり、各液晶表示パネル周縁の隣り合う２辺夫々に沿う各領域に、映像信号を供給すべき画素電極を選択する第１駆動回路、及び該第１駆動回路が選択した画素電極に対して映像信号を供給する第２駆動回路を設けてあるマルチディスプレイ装置において、前記第１駆動回路（又は前記第２駆動回路）を設けていない領域同士が隣り合うように並置した少なくとも２つの液晶表示パネルを備えることを特徴とする。
【００１１】
本発明にあっては、マルチディスプレイ装置を構成する少なくとも２つの液晶表示パネルを、第１駆動回路（又は第２駆動回路）を設けていない領域同士が隣り合うように並置しているので、パネルの境界の両側にある画素までの信号の伝送距離は隣り合わせたパネル間で略等しくなる。この結果、パネルの境界の両側にある画素間で液晶素子に印加される電圧の大きさは近くなり、境界付近において表示輝度の不連続性が軽減される。
【００１２】
本発明に係るマルチディスプレイ装置は、第１駆動回路と第２駆動回路との位置関係が互いに異なる２種類の液晶表示パネルを隣り合わせて並置してあることを特徴とする。
【００１３】
本発明にあっては、第１駆動回路と第２駆動回路との位置関係が互いに異なる２種類の液晶表示パネルを用いるため、液晶表示パネルの配置の自由度が高まる。
【００１４】
本発明に係るマルチディスプレイ装置は、各液晶表示パネルは、前記共通電極に対して共通電圧を印加する手段と、前記第１駆動回路が選択した画素電極に対して前記共通電圧より高い第１電圧と前記共通電圧より低い第２電圧とを周期的に交互に印加する手段とを備え、一の液晶表示パネルにおける他の液晶表示パネル寄りの領域にて、前記第１電圧を印加した場合の表示輝度と前記第２電圧を印加した場合の表示輝度との差が小さくなるように、前記一の液晶表示パネルの共通電極に印加すべき共通電圧の大きさを調整する電圧調整手段を備えることを特徴とする。
【００１５】
共通電極に印加される共通電圧の電圧値がずれるとフリッカが発生すると共に、ずれた分だけＤＣ電圧として印加されるため、ノーマリブラックの液晶表示パネルの場合、黒が明るくなってしまう。その輝度の変化量は制御することができないため、別の液晶表示パネルを並べてマルチディスプレイ装置を構成したとき、各パネルの共通電圧が調整されていない場合には、パネル内の特性により、パネル間の境界の両側において輝度差が発生する。
本発明にあっては、マルチディスプレイ装置を構成する一の液晶表示パネルにおける他の液晶表示パネル寄りの領域にて、輝度を観察しながら共通電圧のずれを解消しているので、パネル間の境界での輝度差の発生が抑えられる。
【発明の効果】
【００１６】
本発明によれば、パネルの境界付近に位置する液晶素子への電圧の駆動条件をパネル間で合わせることができるため、パネル間の境界での輝度差の発生が抑えられ、画面間での輝度の不連続性を軽減することができる。
【図面の簡単な説明】
【００１７】
【図１】実施の形態１に係るマルチディスプレイ装置の構成例を示す模式図である。
【図２】各液晶表示パネルの駆動系の構成を示す模式図である。
【図３】液晶表示パネルの構成例を示す模式図である。
【図４】各画素の等価回路を示す図である。
【図５】ソースバスライン及びゲートバスラインの等価回路である。
【図６】駆動装置１から出力される電圧の波形を示す波形図である。
【図７】対向電圧の調整位置を示す模式図である。
【図８】フリッカ調整パターンの一例を示す模式図である。
【図９】調整位置付近に検出手段を設けた構成を示す模式図である。
【図１０】実施の形態２に係るマルチディスプレイ装置の構成例を示す模式図である。
【図１１】実施の形態３に係るマルチディスプレイ装置の構成例を示す模式図である。
【図１２】実施の形態４に係るマルチディスプレイ装置の構成例を示す模式図である。
【図１３】実施の形態５に係るマルチディスプレイ装置の構成例を示す模式図である。
【図１４】実施の形態６に係るマルチディスプレイ装置の構成例を示す模式図である。
【図１５】実施の形態７に係るマルチディスプレイ装置の構成例を示す模式図である。
【図１６】実施の形態８に係るマルチディスプレイ装置の構成例を示す模式図である。
【図１７】実施の形態９に係るマルチディスプレイ装置の構成例を示す模式図である。
【図１８】実施の形態１０に係るマルチディスプレイ装置の構成例を示す模式図である。
【図１９】実施の形態１１に係るマルチディスプレイ装置の構成例を示す模式図である。
【図２０】実施の形態１２に係るマルチディスプレイ装置の構成例を示す模式図である。
【図２１】実施の形態１３に係るマルチディスプレイ装置の構成例を示す模式図である。
【図２２】実施の形態１４に係るマルチディスプレイ装置の構成例を示す模式図である。
【発明を実施するための形態】
【００１８】
本発明をその実施の形態を示す図面に基づいて具体的に説明する。
実施の形態１．
図１は実施の形態１に係るマルチディスプレイ装置の構成例を示す模式図である。実施の形態１に係るマルチディスプレイ装置は、２枚の液晶表示パネル１０Ａ，１０Ｂからなる表示装置である。図１に示す構成例は、矩形状の液晶表示パネル１０Ａ，１０Ｂを上下方向に隣接させて配置したものである。マルチディスプレイ装置は、入力された映像信号に基づく１つの映像を、２枚の液晶表示パネル１０Ａ，１０Ｂに分割して表示することにより、大画面の表示を行う。
【００１９】
液晶表示パネル１０Ａには、表示パネル本体１００Ａを駆動するための駆動回路として、ソースドライバ１０６Ａがパネル上側の周縁領域に設けられ、ゲートドライバ１０７Ａがパネル左側の周縁領域に設けられている。ゲートドライバ１０７Ａは、映像信号を供給すべき画素電極１３（図３を参照）を選択するために走査信号（電圧）を出力し、ソースドライバ１０６Ａは、ゲートドライバ１０７Ａによって選択された画素電極に対して映像信号（電圧）を供給するように構成されている。液晶表示パネル１０Ａは、ゲートドライバ１０７Ａからの走査信号によって選択される画素電極１３に対して、映像信号に応じたデータ電圧を印加することにより、所望の映像表示を行う。
【００２０】
液晶表示パネル１０Ｂには、表示パネル本体１００Ｂを駆動するための駆動回路として、ソースドライバ１０６Ｂがパネル下側の周縁領域に設けられ、ゲートドライバ１０７Ｂがパネル左側の周縁領域に設けられている。すなわち、実施の形態１に係るマルチディスプレイ装置には、ソースドライバ及びゲートドライバの相対的な位置関係が互いに異なる２種類の液晶表示パネル１０Ａ，１０Ｂが用いられている。
ソースドライバ１０６Ｂ及びゲートドライバ１０７Ｂは、液晶表示パネル１０Ａのものと同様の機能を有する。液晶表示パネル１０Ｂは、ゲートドライバ１０７Ｂからの走査信号によって選択される画素に対して、映像信号に応じたデータ電圧を印加することにより、所望の映像表示を行う。
【００２１】
実施の形態１では、ソースドライバ１０６Ａを設けていない液晶表示パネル１０Ａの領域と、ソースドライバ１０６Ｂを設けていない液晶表示パネル１０Ｂの領域とを隣り合わせて、両液晶表示パネル１０Ａ，１０Ｂを配置することによりマルチディスプレイ装置を構成している。すなわち、図１に示すように、液晶表示パネル１０Ａの下側の周縁領域（ソースドライバ１０６Ａを設けた領域と対向する領域）と、液晶表示パネル１０Ｂの上側の周縁領域（ソースドライバ１０６Ｂを設けた領域と対向する領域）とが隣り合うように、液晶表示パネル１０Ａ，１０Ｂを並置してマルチディスプレイ装置を構成している。
【００２２】
なお、本実施の形態では、液晶表示パネル１０Ａにおけるソースドライバ１０６Ａ及びゲートドライバ１０７Ａの相対的な位置関係は、液晶表示パネル１０Ｂのものと異なるため、双方のパネルを同一のマスクを用いて製造することはできず、マスクの設計時において、液晶表示パネル１０Ａ用のマスクと液晶表示パネル１０Ｂ用のマスクとをそれぞれ個別に設計する必要がある。
【００２３】
図１に示すように、パネルの境界を挟んで対称位置にある液晶表示パネル１０Ａ側の点ＰＡと液晶表示パネル１０Ｂ側の点ＰＢとを比較した場合、ソースドライバ１０６Ａから点ＰＡまでの距離とソースドライバ１０６Ｂから点ＰＢまでの距離は略等しく、ゲートドライバ１０７Ａから点ＰＡまでの距離とゲートドライバ１０７Ｂから点ＰＢまでの距離とは略等しくなる。このように、実施の形態１では、パネルの境界を挟んで近接する画素については、各パネルにおける信号の伝送距離が略等しくなるので、信号の伝送距離に起因するような画質（表示輝度）への影響差がパネル間で小さくなり、境界付近での画質の不連続性を少なくすることができる。
【００２４】
以下の説明において、液晶表示パネル１０Ａ，１０Ｂを区別して説明する必要がない場合には、液晶表示パネル１０と表記することとする。
また、ソースドライバ１０６Ａ，１０６Ｂ及びゲートドライバ１０７Ａ，１０７Ｂを区別して説明する必要がない場合には、それぞれソースドライバ１０６及びゲートドライバ１０７と表記することとする。
【００２５】
図２は各液晶表示パネル１０の駆動系の構成を示す模式図である。各液晶表示パネル１０を駆動する駆動系の構成として、映像信号入力部１０１、映像信号処理部１０２、色信号補正部１０３、制御部１０４、ＬＣＤタイミングコントローラ１０５、ソースドライバ１０６、ゲートドライバ１０７、駆動用電圧発生回路１１０、対向電圧調整回路１１１、ＬＥＤタイミングコントローラ１２０、ＬＥＤドライバ１２１、及びＬＥＤバックライト１２２を備える。
【００２６】
マルチディスプレイ装置には、例えば、ＨＤＭＩ、コンポジット、Ｄ端子などの映像入力端子（不図示）を通じて外部より映像信号が入力される。マルチディスプレイ装置は、各液晶表示パネル１０の表示サイズに合わせて分割した映像を各液晶表示パネル１０に表示させるべく、外部から入力された映像信号に基づいて各液晶表示パネル１０用の映像信号を生成する。映像信号入力部１０１には、マルチディスプレイ装置が生成した各液晶表示パネル１０用の信号が入力される。
なお、映像入力端子を通じて外部より入力される映像信号がＹＣｒＣｂ信号などのＲＧＢ以外の信号である場合には、各液晶表示パネル１０用の映像信号を生成する際に、ＲＧＢ信号に変換し、信号フォーマットを統一する処理を行ってもよい。
【００２７】
映像信号処理部１０２は、入力された映像信号に対して各種信号処理を行うための処理部である。映像信号処理部１０２は、例えば、映像信号から水平同期信号及び垂直同期信号を分離する処理、これらの同期信号に位相同期したクロック信号を生成する処理、映像信号からの輝度信号及び色信号を分離する処理等を実行する。また、映像信号処理部１０２は、ユーザインタフェース用のオンスクリーンディスプレイ（ＯＳＤ）の重ね合わせなどの適宜の信号処理を施すものであってもよい。
【００２８】
色信号補正部１０３は、映像信号処理部１０２を通じて入力される映像信号に対し、彩度、シャープネスといった画像調整処理を施す。色信号補正部１０３は、画像調整処理を施した映像信号を制御部１０４へ送出する。
【００２９】
制御部１０４は、液晶表示パネル１０の駆動制御を行う。制御部１０４は、色信号補正部１０３から入力される映像信号に基づき、液晶表示パネル用データ及びバックライト点灯データを生成し、それぞれをＬＣＤタイミングコントローラ１０５及びＬＥＤタイミングコントローラ１２０へ送出する。
【００３０】
ＬＣＤタイミングコントローラ１０５は、制御部１０４から渡されるデータに基づき、ソースドライバ１０６及びゲートドライバ１０７の駆動を制御する。
ＬＥＤタイミングコントローラ１２０は、制御部１０４から渡されるデータに基づき、ＬＥＤドライバ１２１の駆動を制御し、ＬＥＤドライバ１２１を通じて、ＬＥＤバックライト１２２の点灯及び消灯のタイミングを制御する。
【００３１】
駆動用電圧発生回路１１０は、制御部１０４からの制御により、液晶表示パネル１０へ印加する電圧を供給する。液晶表示パネル１０は、ＴＦＴ１２（Thin Film Transistor）、画素電極１３などの素子（図３を参照）が形成されるガラス基板１１（以下、ＴＦＴ側ガラス基板１１ともいう）と、このガラス基板１１と対向するように配置され、カラーフィルタ（ＣＦ：Color Filter）、対向電極２２（図３を参照）などが形成されるガラス基板２１（以下、ＣＦ側ガラス基板２１ともいう）とを備える。ここで、画素電極１３は、ＴＦＴ側ガラス基板１１上に画素毎に形成されるのに対し、対向電極２２は、各画素電極１３に共通の電極（共通電極）としてＣＦ側ガラス基板２１上に形成される。２枚のガラス基板１１，２１の間には空隙が形成され、この空隙内に液晶物質が封入されることによって液晶層が形成される。
【００３２】
駆動用電圧発生回路１１０は、ＴＦＴ側ガラス基板１１上の画素電極１３に所望の電圧を印加すべく、ソースドライバ１０６及びゲートドライバ１０７にそれぞれ電圧Ｖｓ，Ｖｇを供給する。また、駆動用電圧発生回路１１０は、ＣＦ側ガラス基板２１上の対向電極２２に電圧を印加すべく電圧を供給する。対向電圧に印加する電圧の大きさは、後述する方法により決定され、対向電圧調整回路１１１によって調整される。
【００３３】
制御部１０４は、画素電極１３と対向電極２２との間に印加する電圧の大きさを調整して、その間に封入されている液晶物質の透過率を制御し、２枚のガラス基板１１，２１の間を透過する光の光量を調整することによって映像表示を行う。
【００３４】
図３は液晶表示パネル１０の構成例を示す模式図である。ＴＦＴ側ガラス基板１１上に形成されるＴＦＴ１２及び画素電極１３は、図３に示すように、マトリクス状（例えば、横方向に１０２４個、縦方向に７６８個）に配置される。各画素電極１３は、ＴＦＴ１２のドレイン端子と夫々接続される。
【００３５】
ＴＦＴ１２のゲート端子は、ゲートバスライン１０７ＢＬに接続され、ＴＦＴ１２のソース端子はソースバスライン１０６ＢＬに接続される。ゲートバスライン１０７ＢＬは、それぞれゲートドライバ１０７の出力部に接続され、ソースバスライン１０６ＢＬは、それぞれソースドライバ１０６の出力部に接続される。
【００３６】
ＴＦＴ１２は、ゲートドライバ１０７からライン順次に供給される走査信号をゲートバスライン１０７ＢＬに入力することによってオン／オフ制御され、オン期間にはソースドライバ１０６から各ソースバスライン１０６ＢＬに入力される電圧を画素電極１３に印加し、オフ期間にはそれまでの電圧を保持する。そして、ＴＦＴ１２を介して画素電極１３に印加された電圧と、対向電極２２に印加された電圧とにより、液晶物質の光学特性（Ｔ−Ｖ特性）によって決定される光透過率を制御し、画像を表示する。
【００３７】
図４は各画素の等価回路を示す図である。各画素における液晶素子は、ＴＦＴ１２に接続される液晶容量として表すことができる。上述したように、ＴＦＴ１２のゲート端子はゲートバスライン１０７ＢＬに接続され、ＴＦＴ１２のソース端子はソースバスライン１０６ＢＬに接続される。ゲートバスライン１０７ＢＬにソースバスライン１０６ＢＬの電圧を超える電圧が印加された場合、ソースバスライン１０６ＢＬの電圧がＴＦＴ１２を介して画素電極１３に印加され、液晶容量１４ａに電荷がチャージされる。また、本実施の形態では、液晶容量１４ａに対して並列に接続された保持容量１４ｂを備え、画素電極１３に電圧が印加される際に、この保持容量１４ｂにも電荷がチャージされる。そして、外部から電荷が印加されていない間は、保持容量１４ｂが保持している電位によって液晶素子の電圧値が維持される。
【００３８】
図５はソースバスライン１０６ＢＬ及びゲートバスライン１０７ＢＬの等価回路であり、図６は駆動装置１から出力される電圧の波形を示す波形図である。駆動装置１から出力される電圧は、抵抗Ｒ１，Ｒ２，…，ＲＮ及びコンデンサＣ１，Ｃ２，…，ＣＮの分布定数回路で表される配線を通じて各液晶画素へ印加される。この駆動装置１は、ソースドライバ１０６及びゲートドライバ１０７等により構成される。
【００３９】
液晶物質に電圧を印加することにより、液晶物質の光透過率を制御することが可能であるが、同じ極性の電圧をかけ続けた場合、分極が発生する。このため、本実施の形態では、対向電極２２に一定の電圧（対向電圧Ｖｃｏｍ）を印加すると共に、対向電圧より高い電圧Ｖ１と低い電圧Ｖ２とを周期的に交互に画素電極１３に印加することによって、液晶物質に印加される電圧の極性を時間的に変化させる構成としている。すなわち、駆動装置１からは、図６（ａ）に示すような矩形波を出力する。
一方、駆動装置１から離隔した位置では、回路の抵抗、浮遊容量の影響等を受けるため、図６（ｂ）に示すような波形の鈍りが発生する。波形の鈍りは、配線上の位置を変えると徐々に変化する。実際に液晶画素に印加される電圧は、駆動装置１からの距離が遠いほど低下することとなるため、同じ画像を表示する場合であっても、駆動装置１の近傍にある画素と駆動装置１から離隔した位置にある画素とでは表示輝度に差異が生じる。
【００４０】
本実施の形態では、図１に示すように２つの液晶表示パネル１０Ａ，１０Ｂを配置しているので、隣接したパネルの境界の両側にある液晶画素は、それぞれの駆動装置（ソースドライバ１０６及びゲートドライバ１０７）からの距離がほぼ等しくなる。この結果、境界の流側にある液晶画素に印加される電圧の差は小さくなり、境界近傍での表示輝度の差を少なくすることができる。このため、従来のマルチディスプレイ装置と比べて、境界での輝度の連続性が改善される。
【００４１】
液晶画素に印加される電圧の大きさは、対向電極２２に印加する電圧の大きさが変化することによっても変化し得る。ＴＦＴ１２の駆動波形が変化した場合、ＴＦＴ１２から出てくる波形が変化する。そのため、対向電圧の最適値は、液晶表示パネル１０内の位置によって変化する。液晶表示パネル１０における画素電極１３は画素毎に設けられるのに対し、対向電極２２は１枚の電極により構成され、各画素電極１３に対して共通の電極であるため、液晶表示パネル１０内のある特定の場所で対向電圧で最適化した場合、他の場所では最適値からずれることとなる。これを面内対向ずれという。対向電圧がずれた場合は、余分なＤＣ電圧が掛かるために、液晶物質に余分な電圧が印加されることになるので、輝度に変化が生じる。
【００４２】
このため、液晶表示パネル１０の面内方向での調整位置を考慮した上で対向電圧を調整することにより、境界での輝度の連続性をより改善することができる。図７は対向電圧の調整位置を示す模式図である。１枚の液晶表示パネル１０からなる表示装置では、一般的に、パネル中央部にて対向電圧の調整が行われる。この場合、パネル中央部から離隔するにつれて面内対向ずれが大きくなるため、パネル中央部とパネル周縁部との間で輝度の変化が認められる。しかしながら、この輝度の変化は、画面全体で見ると緩やかな変化であるため、許容範囲内であれば問題となることは少ない。
これに対し、複数の液晶表示パネル１０，１０，…を並置したマルチディスプレイ装置では、面内対向ずれが大きい周縁部にてパネル同士を並べることになるので、その境界で輝度の連続性が損なわれることが多い。
【００４３】
このような問題点を解消するために、本願では、対向電圧の調整位置を他の液晶パネル寄りの位置にずらすことを行う。図７に示す例では、上側の液晶表示パネル１０Ａについては、表示面の中央付近から下側（液晶表示パネル１０Ｂ寄り）へずらした下辺の中央付近を対向電圧の調整位置とし、下側の液晶表示パネル１０Ｂについては、表示面の中央付近から上側（液晶表示パネル１０Ａ寄り）へずらした上辺の中央付近を対向電圧の調整位置としている。
このように、対向電圧の調整位置をマルチディスプレイ装置の中央付近に寄せ集めることにより、各パネルの中央寄り周縁部において対向電圧のずれ量を小さくすることができるので、パネル間の輝度の連続性を改善させることができる。
【００４４】
調整位置にて対向電圧がずれている場合、プラス側の電圧波形（対向電圧Ｖｃｏｍ以上の電圧波形）の面積とマイナス側の電圧波形（対向電圧Ｖｃｏｍ未満の電圧波形）の面積との間に差が生じ、表示画像の輝度差となって表れるため、人の眼にはフリッカとして認識される。
対向電圧のずれを解消するためには、プラス側の電圧波形の面積とマイナス側の電圧波形の面積とが同程度とみなせるように、対向電極２２に印加する電圧の電圧値を調整すればよい。本実施の形態では、フリッカを観測しながら、対向電極２２に印加する電圧の電圧値を調整し、フリッカが最も少なくなる状態（プラス側の電圧を印加した場合の表示輝度とマイナス側の電圧を印加した場合の表示輝度との差が小さくなる状態）を見い出すことによって調整を行う。
【００４５】
フリッカのレベルは、液晶表示パネル１０における画素の構成、画素回路の構成、駆動方法等により異なるため、液晶表示パネル１０においてフリッカを検出しやすいパターンを設定することが好ましい。図８はフリッカ調整パターンの一例を示す模式図である。図８に示す模式図において、「＋」はグレーのパターン（２５６階調の場合、例えば、６４又は１２８の階調値を有するパターン）、「−」はブラックのパターン（０の階調値を有するパターン）を表す。フリッカ調整パターンは、Ｒ，Ｇ，Ｂに対応する各画素に対し、グレーのパターンとブラックのパターンとを交互に配置することによって設定される。このようなフリッカ調整パターンに係るデータは、各液晶表示パネル１０における制御部１０４内のメモリ（不図示）に予め格納される。制御部１０４は、対向電圧の調整時にメモリからフリッカ調整パターンに係るデータを読み出し、液晶表示パネル１０にフリッカ調整パターンを表示させる。
【００４６】
フリッカは人の眼により観察することが可能であり、対向電極２２に印加する電圧の値を変更しながら、人の眼でフリッカの状態を観察し、フリッカが最も少なくなるように対向電圧の値を定めることができる。
また、所定周波数における輝度値を検出することができるフリッカメータを用いてもよい。フリッカメータを利用することにより、プラス側の電圧（電圧Ｖ１）を印加した場合の表示輝度及びマイナス側の電圧（電圧Ｖ２）を印加した場合の表示輝度を定量的に検出することが可能となるので、より正確に調整を行うことができる。
【００４７】
対向電圧の調整時には、ＯＳＤを利用して対向電極２２に印加すべき電圧の値を受付ける構成としてもよい。例えば、スライドバー等のＧＵＩパーツ（GUI : Graphical User Interface）をＯＳＤに表示し、このＧＵＩパーツにより電圧の値を受付ける構成とすればよい。また、対向電圧の調整用に、専用のスイッチ等を設ける構成としてもよく、各液晶表示パネル１０の動作をコントロールするためのリモートコントローラ（不図示）を用いて対向電圧の値を受付ける構成としてもよい。
【００４８】
更に、調整位置付近からの光を検出し、その検出結果に基づいて対向電極２２に印加すべき対向電圧の値を決定する構成としてもよい。図９は調整位置付近に検出手段を設けた構成を示す模式図である。図９に示す例では、液晶表示パネル１０の周縁部（ベゼル部分）であって、その液晶表示パネル１０における調整位置付近にフォトダイオード６０を形成する。例えば、図１に示すマルチディスプレイ装置の例では、液晶表示パネル１０Ａの下辺の中央、液晶表示パネル１０Ｂの上辺の中央にそれぞれフォトダイオード６０を形成する。
なお、各液晶表示パネル１０の四隅及び各辺の中央にフォトダイオード６０を形成しておき、マルチディスプレイ装置として各液晶表示パネル１０を配置させた後に、使用するフォトダイオード６０を定めるようにしてもよい。
【００４９】
フォトダイオード６０は、例えば、電子の移動度が高い連続粒界結晶シリコン（CGS : Continuous Grain Silicon）薄膜によって形成される。ＣＧＳ薄膜の形成プロセスを利用することにより、ＴＦＴ１２や周辺回路を形成するのと同時に、フォトダイオード６０をＴＦＴ側ガラス基板１１に形成することができる。
【００５０】
フォトダイオード６０には、調整位置付近からの光（例えば、ＣＦ側ガラス基板２１によって反射された光）が入射され、光量の応じた大きさの電流（電圧）を出力する。対向電圧調整回路１１１は、フォトダイオード６０の出力を参照し、液晶表示パネル１０を駆動した際にフォトダイオード６０の出力が時間的に変動しないように（すなわち、調整位置でのフリッカが少なくなるように）、対向電極２２に印加する電圧値を調整する。
【００５１】
対向電圧調整回路１１１は、図に示していないメモリを備え、前述のようにして定めた対向電圧の値を記憶する機能を有する。対向電圧調整回路１１１は、メモリに記憶された対向電圧の値に基づき、ＣＦ側ガラス基板２１上の対向電極２２に印加する電圧の大きさを調整する。
【００５２】
以上のように、実施の形態１では、パネルの境界付近に位置する液晶素子への電圧の駆動条件をパネル間で合わせており、パネル間の境界での輝度差の発生が抑えられ、画面間での輝度の不連続性を軽減することができ、更に、対向電圧の調整位置をマルチディスプレイ装置の中央付近に寄せ集めることによって、対向電圧の変動に伴う輝度の変化を抑制することができる。
【００５３】
実施の形態２．
実施の形態１では、ソースドライバ１０６及びゲートドライバ１０７の位置関係が異なる２種類の液晶表示パネル１０Ａ，１０Ｂを並置する構成としたが、両者の位置関係が同一のパネルを並置してマルチディスプレイ装置を構成してもよい。
【００５４】
図１０は実施の形態２に係るマルチディスプレイ装置の構成例を示す模式図である。実施の形態２に係るマルチディスプレイ装置は、２枚の液晶表示パネル１０Ａ，１０Ｂからなる表示装置である。図１０に示す構成例は、矩形状の液晶表示パネル１０Ａ，１０Ｂを上下方向に隣接させて配置したものである。マルチディスプレイ装置は、入力された映像信号に基づく１つの映像を、２枚の液晶表示パネル１０Ａ，１０Ｂに分割して表示することにより、大画面の表示を行う。
【００５５】
液晶表示パネル１０Ａには、表示パネル本体１００Ａを駆動するための駆動回路として、ソースドライバ１０６Ａがパネル上側の周縁領域に設けられ、ゲートドライバ１０７Ａがパネル左側の周縁領域に設けられている。
一方、液晶表示パネル１０Ｂには、表示パネル本体１００Ｂを駆動するための駆動回路として、ソースドライバ１０６Ｂがパネル下側の周縁領域に設けられ、ゲートドライバ１０７Ｂがパネル右側の周縁領域に設けられている。
【００５６】
マルチディスプレイ装置は、液晶表示パネル１０Ａの下側の周縁領域（ソースドライバ１０６Ａを設けていない領域）と、液晶表示パネル１０Ｂの上側の周縁領域（ソースドライバ１０６Ｂを設けていない領域）とが隣り合うように、液晶表示パネル１０Ａ，１０Ｂを並置して構成される。
【００５７】
実施の形態２では、パネルの境界を挟んで近接する画素については、ソースバスライン１０６ＢＬ上の信号の伝送距離が両パネル間で略等しくなるので、映像信号の伝送距離に起因するような画質への影響差がパネル間で小さくなり、境界付近での画質の不連続性を少なくすることができる。
【００５８】
なお、本実施の形態では、液晶表示パネル１０Ａにおけるソースドライバ１０６Ａ及びゲートドライバ１０７Ａの相対的な位置関係は、液晶表示パネル１０Ｂのものと同一であるため、双方のパネルを同一のマスクを用いて製造することが可能である。
【００５９】
実施の形態３．
実施の形態１では、ソースドライバ１０６が設けられていない領域同士を隣り合わせてマルチディスプレイ装置を構成したが、ソースドライバ１０６が設けられている領域同士を隣り合わせてマルチディスプレイ装置を構成してもよい。
【００６０】
図１１は実施の形態３に係るマルチディスプレイ装置の構成例を示す模式図である。実施の形態３に係るマルチディスプレイ装置は、２枚の液晶表示パネル１０Ａ，１０Ｂからなる表示装置である。図１１に示す構成例は、矩形状の液晶表示パネル１０Ａ，１０Ｂを上下方向に隣接させて配置したものである。マルチディスプレイ装置は、入力された映像信号に基づく１つの映像を、２枚の液晶表示パネル１０Ａ，１０Ｂに分割して表示することにより、大画面の表示を行う。
【００６１】
液晶表示パネル１０Ａには、表示パネル本体１００Ａを駆動するための駆動回路として、ソースドライバ１０６Ａがパネル下側の周縁領域に設けられ、ゲートドライバ１０７Ａがパネル右側の周縁領域に設けられている。
一方、液晶表示パネル１０Ｂには、表示パネル本体１００Ｂを駆動するための駆動回路として、ソースドライバ１０６Ｂがパネル上側の周縁領域に設けられ、ゲートドライバ１０７Ｂがパネル左側の周縁領域に設けられている。
【００６２】
マルチディスプレイ装置は、液晶表示パネル１０Ａの下側の周縁領域（ソースドライバ１０６Ａを設けた領域）と、液晶表示パネル１０Ｂの上側の周縁領域（ソースドライバ１０６Ｂを設けた領域）とが隣り合うように、液晶表示パネル１０Ａ，１０Ｂを並置して構成される。
【００６３】
実施の形態３では、パネルの境界を挟んで近接する画素については、ソースバスライン１０６ＢＬ上の信号の伝送距離が両パネル間で略等しくなるので、映像信号の伝送距離に起因するような画質への影響差がパネル間で小さくなり、境界付近での画質の不連続性を少なくすることができる。
【００６４】
なお、本実施の形態では、液晶表示パネル１０Ａにおけるソースドライバ１０６Ａ及びゲートドライバ１０７Ａの相対的な位置関係は、液晶表示パネル１０Ｂのものと同一であるため、双方のパネルを同一のマスクから製造することが可能である。
【００６５】
実施の形態４．
実施の形態１では、２枚の液晶表示パネル１０Ａ，１０Ｂを上下方向に並置した構成について説明したが、左右方向に並置してマルチディスプレイ装置を構成する構成としてもよい。
【００６６】
図１２は実施の形態４に係るマルチディスプレイ装置の構成例を示す模式図である。実施の形態４に係るマルチディスプレイ装置は、２枚の液晶表示パネル１０Ａ，１０Ｂからなる表示装置である。図１２に示す構成例は、矩形状の液晶表示パネル１０Ａ，１０Ｂを左右方向に隣接させて配置したものである。マルチディスプレイ装置は、入力された映像信号に基づく１つの映像を、２枚の液晶表示パネル１０Ａ，１０Ｂに分割して表示することにより、大画面の表示を行う。
【００６７】
液晶表示パネル１０Ａには、表示パネル本体１００Ａを駆動するための駆動回路として、ソースドライバ１０６Ａがパネル上側の周縁領域に設けられ、ゲートドライバ１０７Ａがパネル左側の周縁領域に設けられている。
一方、液晶表示パネル１０Ｂには、表示パネル本体１００Ｂを駆動するための駆動回路として、ソースドライバ１０６Ｂがパネル下側の周縁領域に設けられ、ゲートドライバ１０７Ｂがパネル右側の周縁領域に設けられている。
【００６８】
マルチディスプレイ装置は、液晶表示パネル１０Ａの右側の周縁領域（ゲートドライバ１０７Ａを設けていない領域）と、液晶表示パネル１０Ｂの左側の周縁領域（ゲートドライバ１０７Ｂを設けていない領域）とが隣り合うように、液晶表示パネル１０Ａ，１０Ｂを並置して構成される。
【００６９】
実施の形態３では、パネルの境界を挟んで近接する画素については、ゲートバスライン１０７ＢＬ上の信号の伝送距離が両パネル間で略等しくなるので、走査信号の伝送距離に起因するような画質への影響差がパネル間で小さくなり、境界付近での画質の不連続性を少なくすることができる。
【００７０】
なお、本実施の形態では、液晶表示パネル１０Ａにおけるソースドライバ１０６Ａ及びゲートドライバ１０７Ａの相対的な位置関係は、液晶表示パネル１０Ｂのものと同一であるため、双方のパネルを同一のマスクから製造することが可能である。
【００７１】
実施の形態５．
実施の形態４では、ゲートドライバ１０７が設けられていない領域同士を隣り合わせてマルチディスプレイ装置を構成したが、ゲートドライバ１０７が設けられている領域同士を隣り合わせてマルチディスプレイ装置を構成してもよい。
【００７２】
図１３は実施の形態５に係るマルチディスプレイ装置の構成例を示す模式図である。実施の形態５に係るマルチディスプレイ装置は、２枚の液晶表示パネル１０Ａ，１０Ｂからなる表示装置である。図１３に示す構成例は、矩形状の液晶表示パネル１０Ａ，１０Ｂを左右方向に隣接させて配置したものである。マルチディスプレイ装置は、入力された映像信号に基づく１つの映像を、２枚の液晶表示パネル１０Ａ，１０Ｂに分割して表示することにより、大画面の表示を行う。
【００７３】
液晶表示パネル１０Ａには、表示パネル本体１００Ａを駆動するための駆動回路として、ソースドライバ１０６Ａがパネル下側の周縁領域に設けられ、ゲートドライバ１０７Ａがパネル右側の周縁領域に設けられている。
一方、液晶表示パネル１０Ｂには、表示パネル本体１００Ｂを駆動するための駆動回路として、ソースドライバ１０６Ｂがパネル上側の周縁領域に設けられ、ゲートドライバ１０７Ｂがパネル左側の周縁領域に設けられている。
【００７４】
マルチディスプレイ装置は、液晶表示パネル１０Ａの右側の周縁領域（ゲートドライバ１０７Ａを設けた領域）と、液晶表示パネル１０Ｂの左側の周縁領域（ゲートドライバ１０７Ｂを設けた領域）とが隣り合うように、液晶表示パネル１０Ａ，１０Ｂを並置して構成される。
【００７５】
実施の形態５では、パネルの境界を挟んで近接する画素については、ゲートバスライン１０７ＢＬ上の信号の伝送距離が両パネル間で略等しくなるので、映像信号の伝送距離に起因するような画質への影響差がパネル間で小さくなり、境界付近での画質の不連続性を少なくすることができる。
【００７６】
なお、本実施の形態では、液晶表示パネル１０Ａにおけるソースドライバ１０６Ａ及びゲートドライバ１０７Ａの相対的な位置関係は、液晶表示パネル１０Ｂのものと同一であるため、双方のパネルを同一のマスクから製造することが可能である。
【００７７】
実施の形態６．
実施の形態１〜５では、２枚の液晶表示パネル１０Ａ，１０Ｂを並置してマルチディスプレイ装置を構成したが、マルチディスプレイ装置を構成する液晶表示パネルの枚数は２枚に限定されるものではない。
実施の形態６では、３枚の液晶表示パネルを並置して構成したマルチディスプレイ装置について説明を行う。
【００７８】
図１４は実施の形態６に係るマルチディスプレイ装置の構成例を示す模式図である。実施の形態６に係るマルチディスプレイ装置は、３枚の液晶表示パネル１０Ａ，１０Ｂ，１０Ｃからなる表示装置である。図１４に示す構成例は、矩形状の液晶表示パネル１０Ａ，１０Ｂ，１０Ｃを上下方向に隣接させて配置したものである。マルチディスプレイ装置は、入力された映像信号に基づく１つの映像を、３枚の液晶表示パネル１０Ａ，１０Ｂ，１０Ｃに分割して表示することにより、大画面の表示を行う。
【００７９】
液晶表示パネル１０Ａには、表示パネル本体１００Ａを駆動するための駆動回路として、ソースドライバ１０６Ａがパネル上側の周縁領域に設けられ、ゲートドライバ１０７Ａがパネル左側の周縁領域に設けられている。
また、液晶表示パネル１０Ｂには、表示パネル本体１００Ｂを駆動するための駆動回路として、ソースドライバ１０６Ｂがパネル下側の周縁領域に設けられ、ゲートドライバ１０７Ｂがパネル右側の周縁領域に設けられている。
また、液晶表示パネル１０Ｃには、表示パネル本体１００Ｃを駆動するための駆動回路として、ソースドライバ１０６Ｃがパネル上側の周縁領域に設けられ、ゲートドライバ１０７Ｃがパネル左側の周縁領域に設けられている。
【００８０】
マルチディスプレイ装置は、液晶表示パネル１０Ａの下側の周縁領域（ソースドライバ１０６Ａを設けていない領域）と、液晶表示パネル１０Ｂの上側の周縁領域（ソースドライバ１０６Ｂを設けていない領域）とが隣り合うように液晶表示パネル１０Ａ，１０Ｂを並置し、更に、液晶表示パネル１０Ｂの下側の周縁領域（ソースドライバ１０６Ｂを設けた領域）と、液晶表示パネル１０Ｃの上側の周縁領域（ソースドライバ１０６Ｃを設けた領域）とが隣り合うように液晶表示パネル１０Ｂ，１０Ｃを並置して構成される。
【００８１】
実施の形態６では、パネルの境界を挟んで近接する画素については、ソースバスライン１０６ＢＬ上の信号の伝送距離が両側のパネル間で略等しくなるので、映像信号の伝送距離に起因するような画質への影響差がパネル間で小さくなり、境界付近での画質の不連続性を少なくすることができる。
【００８２】
なお、本実施の形態では、ソースドライバ１０６及びゲートドライバ１０７の相対的な位置関係は、各液晶表示パネル１０Ａ〜１０Ｃにおいて同一であるため、各パネルを同一のマスクから製造することが可能である。
【００８３】
実施の形態７．
実施の形態６では、３枚の液晶表示パネル１０Ａ〜１０Ｃを上下方向に並置したマルチディスプレイ装置について説明したが、左右方向に並置してマルチディスプレイ装置を構成する構成としてもよい。
【００８４】
図１５は実施の形態７に係るマルチディスプレイ装置の構成例を示す模式図である。実施の形態７に係るマルチディスプレイ装置は、３枚の液晶表示パネル１０Ａ，１０Ｂ，１０Ｃからなる表示装置である。図１５に示す構成例は、矩形状の液晶表示パネル１０Ａ，１０Ｂ，１０Ｃを左右方向に隣接させて配置したものである。マルチディスプレイ装置は、入力された映像信号に基づく１つの映像を、３枚の液晶表示パネル１０Ａ，１０Ｂ，１０Ｃに分割して表示することにより、大画面の表示を行う。
【００８５】
液晶表示パネル１０Ａには、表示パネル本体１００Ａを駆動するための駆動回路として、ソースドライバ１０６Ａがパネル下側の周縁領域に設けられ、ゲートドライバ１０７Ａがパネル右側の周縁領域に設けられている。
また、液晶表示パネル１０Ｂには、表示パネル本体１００Ｂを駆動するための駆動回路として、ソースドライバ１０６Ｂがパネル上側の周縁領域に設けられ、ゲートドライバ１０７Ｂがパネル左側の周縁領域に設けられている。
また、液晶表示パネル１０Ｃには、表示パネル本体１００Ｃを駆動するための駆動回路として、ソースドライバ１０６Ｃがパネル下側の周縁領域に設けられ、ゲートドライバ１０７Ｃがパネル右側の周縁領域に設けられている。
【００８６】
マルチディスプレイ装置は、液晶表示パネル１０Ａの右側の周縁領域（ゲートドライバ１０７Ａを設けた領域）と、液晶表示パネル１０Ｂの左側の周縁領域（ゲートドライバ１０７Ｂを設けた領域）とが隣り合うように液晶表示パネル１０Ａ，１０Ｂを並置し、更に、液晶表示パネル１０Ｂの右側の周縁領域（ソースドライバ１０６Ｂを設けていない領域）と、液晶表示パネル１０Ｃの左側の周縁領域（ソースドライバ１０６Ｃを設けていない領域）とが隣り合うように液晶表示パネル１０Ｂ，１０Ｃを並置して構成される。
【００８７】
実施の形態７では、パネルの境界を挟んで近接する画素については、ゲートバスライン１０７ＢＬ上の信号の伝送距離が両側のパネル間で略等しくなるので、映像信号の伝送距離に起因するような画質への影響差がパネル間で小さくなり、境界付近での画質の不連続性を少なくすることができる。
【００８８】
なお、本実施の形態では、ソースドライバ１０６及びゲートドライバ１０７の相対的な位置関係は、各液晶表示パネル１０Ａ〜１０Ｃにおいて同一であるため、各パネルを同一のマスクから製造することが可能である。
【００８９】
実施の形態８．
実施の形態１〜５では、２枚の液晶表示パネル１０Ａ，１０Ｂを並置してマルチディスプレイ装置を構成し、実施の形態６〜７では、３枚の液晶表示パネル１０Ａ〜１０Ｃを並置してマルチディスプレイ装置を構成したが、マルチディスプレイ装置を構成する液晶表示パネルの枚数は２枚又は３枚に限定されるものではない。
実施の形態８では、４枚の液晶表示パネルを並置して構成したマルチディスプレイ装置について説明を行う。
【００９０】
図１６は実施の形態８に係るマルチディスプレイ装置の構成例を示す模式図である。実施の形態８に係るマルチディスプレイ装置は、４枚の液晶表示パネル１０Ａ，１０Ｂ，１０Ｃ，１０Ｄからなる表示装置である。図１６に示す構成例は、矩形状の液晶表示パネル１０Ａ〜１０Ｄを２行×２列の配列で並置したものである。マルチディスプレイ装置は、入力された映像信号に基づく１つの映像を、４枚の液晶表示パネル１０Ａ〜１０Ｄに分割して表示することにより、大画面の表示を行う。
【００９１】
液晶表示パネル１０Ａには、表示パネル本体１００Ａを駆動するための駆動回路として、ソースドライバ１０６Ａがパネル上側の周縁領域に設けられ、ゲートドライバ１０７Ａがパネル左側の周縁領域に設けられている。
また、液晶表示パネル１０Ｂには、表示パネル本体１００Ｂを駆動するための駆動回路として、ソースドライバ１０６Ｂがパネル上側の周縁領域に設けられ、ゲートドライバ１０７Ｂがパネル右側の周縁領域に設けられている。
また、液晶表示パネル１０Ｃには、表示パネル本体１００Ｃを駆動するための駆動回路として、ソースドライバ１０６Ｃがパネル下側の周縁領域に設けられ、ゲートドライバ１０７Ｃがパネル左側の周縁領域に設けられている。
また、液晶表示パネル１０Ｄには、表示パネル本体１００Ｄを駆動するための駆動回路として、ソースドライバ１０６Ｄがパネル下側の周縁領域に設けられ、ゲートドライバ１０７Ｄがパネル右側の周縁領域に設けられている。
【００９２】
マルチディスプレイ装置の上側の２枚の液晶表示パネル１０Ａ，１０Ｂは、液晶表示パネル１０Ａの右側の周縁領域（ゲートドライバ１０７Ａを設けていない領域）と、液晶表示パネル１０Ｂの左側の周縁領域（ゲートドライバ１０７Ｂを設けていない領域）とが隣り合うように並置される。
また、マルチディスプレイ装置の下側の２枚の液晶表示パネル１０Ｃ，１０Ｄは、液晶表示パネル１０Ｃの右側の周縁領域（ゲートドライバ１０７Ｃを設けていない領域）と、液晶表示パネル１０Ｄの左側の周縁領域（ゲートドライバ１０７Ｄを設けていない領域）とが隣り合うように並置される。
このように各パネルを配置することにより、液晶表示パネル１０Ａ，１０Ｃは、ソースドライバ１０６Ａ，１０６Ｃが設けられていない側の領域同士が隣り合うように配置され、液晶表示パネル１０Ｂ，１０Ｄは、ソースドライバ１０６Ｂ，１０６Ｄが設けられていない側の領域同士が隣り合うように配置される。
【００９３】
実施の形態８では、パネルの境界を挟んで近接する画素については、各パネルにおける信号の伝送距離が略等しくなるので、信号の伝送距離に起因するような画質（表示輝度）への影響差がパネル間で小さくなり、境界付近での画質の不連続性を少なくすることができる。
【００９４】
なお、本実施の形態では、ソースドライバ１０６及びゲートドライバ１０７の相対的な位置関係は、液晶表示パネル１０Ａ，１０Ｄと液晶表示パネル１０Ｂ，１０Ｃとの間で相違するため、２種類のマスクを用意して各パネルを製造する必要がある。
【００９５】
実施の形態９．
実施の形態８では、４枚の液晶表示パネルを並置して構成したマルチディスプレイ装置について説明したが、各ドライバの位置関係は実施の形態８に示すものに限定されない。
実施の形態９では、４枚の液晶表示パネルを並置した他の形態のマルチディスプレイ装置について説明を行う。
【００９６】
図１７は実施の形態９に係るマルチディスプレイ装置の構成例を示す模式図である。実施の形態９に係るマルチディスプレイ装置は、４枚の液晶表示パネル１０Ａ，１０Ｂ，１０Ｃ，１０Ｄからなる表示装置である。図１７に示す構成例は、矩形状の液晶表示パネル１０Ａ〜１０Ｄを２行×２列の配列で並置したものである。マルチディスプレイ装置は、入力された映像信号に基づく１つの映像を、４枚の液晶表示パネル１０Ａ〜１０Ｄに分割して表示することにより、大画面の表示を行う。
【００９７】
液晶表示パネル１０Ａには、表示パネル本体１００Ａを駆動するための駆動回路として、ソースドライバ１０６Ａがパネル下側の周縁領域に設けられ、ゲートドライバ１０７Ａがパネル右側の周縁領域に設けられている。
また、液晶表示パネル１０Ｂには、表示パネル本体１００Ｂを駆動するための駆動回路として、ソースドライバ１０６Ｂがパネル下側の周縁領域に設けられ、ゲートドライバ１０７Ｂがパネル左側の周縁領域に設けられている。
また、液晶表示パネル１０Ｃには、表示パネル本体１００Ｃを駆動するための駆動回路として、ソースドライバ１０６Ｃがパネル上側の周縁領域に設けられ、ゲートドライバ１０７Ｃがパネル右側の周縁領域に設けられている。
また、液晶表示パネル１０Ｄには、表示パネル本体１００Ｄを駆動するための駆動回路として、ソースドライバ１０６Ｄがパネル上側の周縁領域に設けられ、ゲートドライバ１０７Ｄがパネル左側の周縁領域に設けられている。
【００９８】
マルチディスプレイ装置の上側の２枚の液晶表示パネル１０Ａ，１０Ｂは、液晶表示パネル１０Ａの右側の周縁領域（ゲートドライバ１０７Ａを設けた領域）と、液晶表示パネル１０Ｂの左側の周縁領域（ゲートドライバ１０７Ｂを設けた領域）とが隣り合うように並置される。
また、マルチディスプレイ装置の下側の２枚の液晶表示パネル１０Ｃ，１０Ｄは、液晶表示パネル１０Ｃの右側の周縁領域（ゲートドライバ１０７Ｃを設けた領域）と、液晶表示パネル１０Ｄの左側の周縁領域（ゲートドライバ１０７Ｄを設けた領域）とが隣り合うように並置される。
このように各パネルを配置することにより、液晶表示パネル１０Ａ，１０Ｃは、ソースドライバ１０６Ａ，１０６Ｃが設けられた側の領域同士が隣り合うように配置され、液晶表示パネル１０Ｂ，１０Ｄは、ソースドライバ１０６Ｂ，１０６Ｄが設けられた側の領域同士が隣り合うように配置される。
【００９９】
実施の形態９では、パネルの境界を挟んで近接する画素については、各パネルにおける信号の伝送距離が略等しくなるので、信号の伝送距離に起因するような画質（表示輝度）への影響差がパネル間で小さくなり、境界付近での画質の不連続性を少なくすることができる。
【０１００】
なお、本実施の形態では、ソースドライバ１０６及びゲートドライバ１０７の相対的な位置関係は、液晶表示パネル１０Ａ，１０Ｄと液晶表示パネル１０Ｂ，１０Ｃとの間で相違するため、２種類のマスクを用意して各パネルを製造する必要がある。
【０１０１】
実施の形態１０．
実施の形態１０では、４枚の液晶表示パネルを並置した他の形態のマルチディスプレイ装置について説明を行う。
【０１０２】
図１８は実施の形態１０に係るマルチディスプレイ装置の構成例を示す模式図である。実施の形態１０に係るマルチディスプレイ装置は、４枚の液晶表示パネル１０Ａ，１０Ｂ，１０Ｃ，１０Ｄからなる表示装置である。図１８に示す構成例は、矩形状の液晶表示パネル１０Ａ〜１０Ｄを２行×２列の配列で並置したものである。マルチディスプレイ装置は、入力された映像信号に基づく１つの映像を、４枚の液晶表示パネル１０Ａ〜１０Ｄに分割して表示することにより、大画面の表示を行う。
【０１０３】
液晶表示パネル１０Ａには、表示パネル本体１００Ａを駆動するための駆動回路として、ソースドライバ１０６Ａがパネル下側の周縁領域に設けられ、ゲートドライバ１０７Ａがパネル右側の周縁領域に設けられている。
また、液晶表示パネル１０Ｂには、表示パネル本体１００Ｂを駆動するための駆動回路として、ソースドライバ１０６Ｂがパネル上側の周縁領域に設けられ、ゲートドライバ１０７Ｂがパネル左側の周縁領域に設けられている。
また、液晶表示パネル１０Ｃには、表示パネル本体１００Ｃを駆動するための駆動回路として、ソースドライバ１０６Ｃがパネル上側の周縁領域に設けられ、ゲートドライバ１０７Ｃがパネル左側の周縁領域に設けられている。
また、液晶表示パネル１０Ｄには、表示パネル本体１００Ｄを駆動するための駆動回路として、ソースドライバ１０６Ｄがパネル下側の周縁領域に設けられ、ゲートドライバ１０７Ｄがパネル右側の周縁領域に設けられている。
【０１０４】
マルチディスプレイ装置の上側の２枚の液晶表示パネル１０Ａ，１０Ｂは、液晶表示パネル１０Ａの右側の周縁領域（ゲートドライバ１０７Ａを設けた領域）と、液晶表示パネル１０Ｂの左側の周縁領域（ゲートドライバ１０７Ｂを設けた領域）とが隣り合うように並置される。
また、マルチディスプレイ装置の下側の２枚の液晶表示パネル１０Ｃ，１０Ｄは、液晶表示パネル１０Ｃの右側の周縁領域（ゲートドライバ１０７Ｃを設けていない領域）と、液晶表示パネル１０Ｄの左側の周縁領域（ゲートドライバ１０７Ｄを設けていない領域）とが隣り合うように並置される。
このように各パネルを配置することにより、液晶表示パネル１０Ａ，１０Ｃは、ソースドライバ１０６Ａ，１０６Ｃが設けられた側の領域同士が隣り合うように配置され、液晶表示パネル１０Ｂ，１０Ｄは、ソースドライバ１０６Ｂ，１０６Ｄが設けられていない側の領域同士が隣り合うように配置される。
【０１０５】
実施の形態１０では、パネルの境界を挟んで近接する画素については、その両側のパネル間においてソースバスライン１０６ＢＬ（又はゲートバスライン１０７ＢＬ）上の信号の伝送距離が略等しくなるので、信号の伝送距離に起因するような画質への影響差がパネル間で小さくなり、各境界付近での画質の不連続性を少なくすることができる。
【０１０６】
なお、本実施の形態では、ソースドライバ１０６及びゲートドライバ１０７の相対的な位置関係は、各液晶表示パネル１０Ａ〜１０Ｄにおいて同一であるため、各パネルを同一のマスクから製造することが可能である。
【０１０７】
実施の形態１１．
実施の形態１１では、９枚の液晶表示パネルを並置して構成したマルチディスプレイ装置について説明を行う。
【０１０８】
図１９は実施の形態１１に係るマルチディスプレイ装置の構成例を示す模式図である。実施の形態１１に係るマルチディスプレイ装置は、９枚の液晶表示パネル１０Ａ〜１０Ｉからなる表示装置である。図１９に示す構成例は、矩形状の液晶表示パネル１０Ａ〜１０Ｉを３行×３列の配列で並置したものである。マルチディスプレイ装置は、入力された映像信号に基づく１つの映像を、９枚の液晶表示パネル１０Ａ〜１０Ｉに分割して表示することにより、大画面の表示を行う。
【０１０９】
液晶表示パネル１０Ａ，１０Ｃ，１０Ｇ，１０Ｉには、表示パネル本体を駆動するための駆動回路として、それぞれ、ソースドライバ１０６Ａ，１０６Ｃ，１０６Ｇ，１０６Ｉがパネル上側の周縁領域に設けられ、ゲートドライバ１０７Ａ，１０７Ｃ，１０７Ｇ，１０７Ｉがパネル左側の周縁領域に設けられている。
また、液晶表示パネル１０Ｂ，１０Ｈには、表示パネル本体を駆動するための駆動回路として、それぞれ、ソースドライバ１０６Ｂ，１０６Ｈがパネル上側の周縁領域に設けられ、ゲートドライバ１０７Ｂ，１０７Ｈがパネル右側の周縁領域に設けられている。
また、液晶表示パネル１０Ｄ，１０Ｆには、表示パネル本体を駆動するための駆動回路として、ソースドライバ１０６Ｄ，１０６Ｆがパネル下側の周縁領域に設けられ、ゲートドライバ１０７Ｄ，１０７Ｆがパネル左側の周縁領域に設けられている。
また、液晶表示パネル１０Ｅには、表示パネル本体を駆動するための駆動回路として、ソースドライバ１０６Ｅがパネル下側の周縁領域に設けられ、ゲートドライバ１０７Ｅがパネル右側の周縁領域に設けられている。
【０１１０】
マルチディスプレイ装置の上段の２枚の液晶表示パネル１０Ａ，１０Ｂは、液晶表示パネル１０Ａの右側の周縁領域（ゲートドライバ１０７Ａを設けていない領域）と、液晶表示パネル１０Ｂの左側の周縁領域（ゲートドライバ１０７Ｂを設けていない領域）とが隣り合うように並置され、液晶表示パネル１０Ｂ，１０Ｃは、液晶表示パネル１０Ｂの右側の周縁領域（ゲートドライバ１０７Ｂを設けた領域）と、液晶表示パネル１０Ｃの左側の周縁領域（ゲートドライバ１０７Ｃを設けた領域）とが隣り合うように並置される。
また、中段の液晶表示パネル１０Ｄ，１０Ｅは、液晶表示パネル１０Ｄの右側の周縁領域（ゲートドライバ１０７Ｄを設けていない領域）と、液晶表示パネル１０Ｅの左側の周縁領域（ゲートドライバ１０７Ｅを設けていない領域）とが隣り合うように並置され、液晶表示パネル１０Ｅ，１０Ｆは、液晶表示パネル１０Ｅの右側の周縁領域（ゲートドライバ１０７Ｅを設けた領域）と、液晶表示パネル１０Ｆの左側の周縁領域（ゲートドライバ１０７Ｆを設けた領域）とが隣り合うように並置される。
また、下段の液晶表示パネル１０Ｇ，１０Ｈは、液晶表示パネル１０Ｇの右側の周縁領域（ゲートドライバ１０７Ｇを設けていない領域）と、液晶表示パネル１０Ｈの左側の周縁領域（ゲートドライバ１０７Ｈを設けていない領域）とが隣り合うように並置され、液晶表示パネル１０Ｈ，１０Ｉは、液晶表示パネル１０Ｈの右側の周縁領域（ゲートドライバ１０７Ｈを設けた領域）と、液晶表示パネル１０Ｉの左側の周縁領域（ゲートドライバ１０７Ｉを設けた領域）とが隣り合うように並置される。
マルチディスプレイ装置の上下方向についても同様であり、隣接するパネル間で、ソースドライバ１０６が設けられていない側の領域同士（又はソースドライバ１０６が設けられている側の領域同士）が隣り合うように、各液晶表示パネル１０Ａ〜１０Ｉが配置されている。
【０１１１】
実施の形態１１では、パネルの境界を挟んで近接する画素については、その両側のパネル間においてソースバスライン１０６ＢＬ（又はゲートバスライン１０７ＢＬ）上の信号の伝送距離が略等しくなるので、信号の伝送距離に起因するような画質への影響差がパネル間で小さくなり、各境界付近での画質の不連続性を少なくすることができる。
【０１１２】
なお、本実施の形態では、ソースドライバ１０６及びゲートドライバ１０７の相対的な位置関係は、液晶表示パネル１０Ａ，１０Ｃ，１０Ｅ，１０Ｇ，１０Ｉと、液晶表示パネル１０Ｂ，１０Ｄ，１０Ｆ，１０Ｈとの間で相違するため、２種類のマスクを用意して各パネルを製造する必要がある。
【０１１３】
実施の形態１２．
実施の形態１２では、９枚の液晶表示パネルを並置した他の形態のマルチディスプレイ装置について説明を行う。
【０１１４】
図２０は実施の形態１２に係るマルチディスプレイ装置の構成例を示す模式図である。実施の形態１２に係るマルチディスプレイ装置は、９枚の液晶表示パネル１０Ａ〜１０Ｉからなる表示装置である。図２０に示す構成例は、矩形状の液晶表示パネル１０Ａ〜１０Ｉを３行×３列の配列で並置したものである。マルチディスプレイ装置は、入力された映像信号に基づく１つの映像を、９枚の液晶表示パネル１０Ａ〜１０Ｉに分割して表示することにより、大画面の表示を行う。
【０１１５】
液晶表示パネル１０Ａ，１０Ｃ，１０Ｇ，１０Ｉには、表示パネル本体を駆動するための駆動回路として、ソースドライバ１０６Ａ，１０６Ｃ，１０６Ｇ，１０６Ｉがパネル下側の周縁領域に設けられ、ゲートドライバ１０７Ａ，１０７Ｃ，１０７Ｇ，１０７Ｉがパネル左側の周縁領域に設けられている。
また、液晶表示パネル１０Ｂ，１０Ｈには、表示パネル本体を駆動するための駆動回路として、ソースドライバ１０６Ｂ，１０６Ｈがパネル下側の周縁領域に設けられ、ゲートドライバ１０７Ｂ，１０７Ｈがパネル右側の周縁領域に設けられている。
また、液晶表示パネル１０Ｄ，１０Ｆには、表示パネル本体を駆動するための駆動回路として、それぞれ、ソースドライバ１０６Ｄ，１０６Ｆがパネル上側の周縁領域に設けられ、ゲートドライバ１０７Ｄ，１０７Ｆがパネル左側の周縁領域に設けられている。
また、液晶表示パネル１０Ｅには、表示パネル本体を駆動するための駆動回路として、それぞれ、ソースドライバ１０６Ｅがパネル上側の周縁領域に設けられ、ゲートドライバ１０７Ｅがパネル右側の周縁領域に設けられている。
【０１１６】
マルチディスプレイ装置の上段の２枚の液晶表示パネル１０Ａ，１０Ｂは、液晶表示パネル１０Ａの右側の周縁領域（ゲートドライバ１０７Ａを設けていない領域）と、液晶表示パネル１０Ｂの左側の周縁領域（ゲートドライバ１０７Ｂを設けていない領域）とが隣り合うように並置され、液晶表示パネル１０Ｂ，１０Ｃは、液晶表示パネル１０Ｂの右側の周縁領域（ゲートドライバ１０７Ｂを設けた領域）と、液晶表示パネル１０Ｃの左側の周縁領域（ゲートドライバ１０７Ｃを設けた領域）とが隣り合うように並置される。
また、中段の液晶表示パネル１０Ｄ，１０Ｅは、液晶表示パネル１０Ｄの右側の周縁領域（ゲートドライバ１０７Ｄを設けていない領域）と、液晶表示パネル１０Ｅの左側の周縁領域（ゲートドライバ１０７Ｅを設けていない領域）とが隣り合うように並置され、液晶表示パネル１０Ｅ，１０Ｆは、液晶表示パネル１０Ｅの右側の周縁領域（ゲートドライバ１０７Ｅを設けた領域）と、液晶表示パネル１０Ｆの左側の周縁領域（ゲートドライバ１０７Ｆを設けた領域）とが隣り合うように並置される。
また、下段の液晶表示パネル１０Ｇ，１０Ｈは、液晶表示パネル１０Ｇの右側の周縁領域（ゲートドライバ１０７Ｇを設けていない領域）と、液晶表示パネル１０Ｈの左側の周縁領域（ゲートドライバ１０７Ｈを設けていない領域）とが隣り合うように並置され、液晶表示パネル１０Ｈ，１０Ｉは、液晶表示パネル１０Ｈの右側の周縁領域（ゲートドライバ１０７Ｈを設けた領域）と、液晶表示パネル１０Ｉの左側の周縁領域（ゲートドライバ１０７Ｉを設けた領域）とが隣り合うように並置される。
マルチディスプレイ装置の上下方向についても同様であり、隣接するパネル間で、ソースドライバ１０６が設けられていない側の領域同士（又はソースドライバ１０６が設けられている側の領域同士）が隣り合うように、各液晶表示パネル１０Ａ〜１０Ｉが配置されている。
【０１１７】
実施の形態１２では、パネルの境界を挟んで近接する画素については、その両側のパネル間においてソースバスライン１０６ＢＬ（又はゲートバスライン１０７ＢＬ）上の信号の伝送距離が略等しくなるので、信号の伝送距離に起因するような画質への影響差がパネル間で小さくなり、各境界付近での画質の不連続性を少なくすることができる。
【０１１８】
なお、本実施の形態では、ソースドライバ１０６及びゲートドライバ１０７の相対的な位置関係は、液晶表示パネル１０Ａ，１０Ｃ，１０Ｅ，１０Ｇ，１０Ｉと、液晶表示パネル１０Ｂ，１０Ｄ，１０Ｆ，１０Ｈとの間で相違するため、２種類のマスクを用意して各パネルを製造する必要がある。
【０１１９】
実施の形態１３．
実施の形態１３では、１６枚の液晶表示パネルを並置して構成したマルチディスプレイ装置について説明を行う。
【０１２０】
図２１は実施の形態１３に係るマルチディスプレイ装置の構成例を示す模式図である。実施の形態１３に係るマルチディスプレイ装置は、１６枚の液晶表示パネル１０Ａ〜１０Ｐからなる表示装置である。図２１に示す構成例は、矩形状の液晶表示パネル１０Ａ〜１０Ｐを４行×４列の配列で並置したものである。マルチディスプレイ装置は、入力された映像信号に基づく１つの映像を、１６枚の液晶表示パネル１０Ａ〜１０Ｐに分割して表示することにより、大画面の表示を行う。
【０１２１】
液晶表示パネル１０Ａ，１０Ｃ，１０Ｉ，１０Ｋには、表示パネル本体を駆動するための駆動回路として、それぞれ、ソースドライバ１０６Ａ，１０６Ｃ，１０６Ｉ，１０６Ｋがパネル上側の周縁領域に設けられ、ゲートドライバ１０７Ａ，１０７Ｃ，１０７Ｉ，１０７Ｋがパネル左側の周縁領域に設けられている。
また、液晶表示パネル１０Ｂ，１０Ｄ，１０Ｊ，１０Ｌには、表示パネル本体を駆動するための駆動回路として、それぞれ、ソースドライバ１０６Ｂ，１０６Ｄ，１０６Ｊ，１０６Ｌがパネル上側の周縁領域に設けられ、ゲートドライバ１０７Ｂ，１０７Ｄ，１０７Ｊ，１０７Ｌがパネル右側の周縁領域に設けられている。
また、液晶表示パネル１０Ｅ，１０Ｇ，１０Ｍ，１０Ｏには、表示パネル本体を駆動するための駆動回路として、ソースドライバ１０６Ｅ，１０６Ｇ，１０６Ｍ，１０６Ｏがパネル下側の周縁領域に設けられ、ゲートドライバ１０７Ｅ，１０７Ｇ，１０７Ｍ，１０７Ｏがパネル左側の周縁領域に設けられている。
また、液晶表示パネル１０Ｆ，１０Ｈ，１０Ｎ，１０Ｐには、表示パネル本体を駆動するための駆動回路として、ソースドライバ１０６Ｆ，１０６Ｈ，１０６Ｎ，１０６Ｐがパネル下側の周縁領域に設けられ、ゲートドライバ１０７Ｆ，１０７Ｈ，１０７Ｎ，１０７Ｐがパネル右側の周縁領域に設けられている。
【０１２２】
マルチディスプレイ装置の最上段の液晶表示パネル１０Ａ，１０Ｂは、液晶表示パネル１０Ａの右側の周縁領域（ゲートドライバ１０７Ａを設けていない領域）と、液晶表示パネル１０Ｂの左側の周縁領域（ゲートドライバ１０７Ｂを設けていない領域）とが隣り合うように並置され、液晶表示パネル１０Ｂ，１０Ｃは、液晶表示パネル１０Ｂの右側の周縁領域（ゲートドライバ１０７Ｂを設けた領域）と、液晶表示パネル１０Ｃの左側の周縁領域（ゲートドライバ１０７Ｃを設けた領域）とが隣り合うように並置され、液晶表示パネル１０Ｃ，１０Ｄは、液晶表示パネル１０Ｃの右側の周縁領域（ゲートドライバ１０７Ｃを設けていない領域）と、液晶表示パネル１０Ｄの左側の周縁領域（ゲートドライバ１０７Ｄを設けていない領域）とが隣り合うように並置される。
【０１２３】
また、上から２段目の液晶表示パネル１０Ｅ，１０Ｆは、液晶表示パネル１０Ｅの右側の周縁領域（ゲートドライバ１０７Ｅを設けていない領域）と、液晶表示パネル１０Ｆの左側の周縁領域（ゲートドライバ１０７Ｆを設けていない領域）とが隣り合うように並置され、液晶表示パネル１０Ｆ，１０Ｇは、液晶表示パネル１０Ｆの右側の周縁領域（ゲートドライバ１０７Ｆを設けた領域）と、液晶表示パネル１０Ｇの左側の周縁領域（ゲートドライバ１０７Ｇを設けた領域）とが隣り合うように並置され、液晶表示パネル１０Ｇ，１０Ｈは、液晶表示パネル１０Ｇの右側の周縁領域（ゲートドライバ１０７Ｇを設けていない領域）と、液晶表示パネル１０Ｈの左側の周縁領域（ゲートドライバ１０７Ｈを設けていない領域）とが隣り合うように並置される。
【０１２４】
また、下から２段目の液晶表示パネル１０Ｉ，１０Ｊは、液晶表示パネル１０Ｉの右側の周縁領域（ゲートドライバ１０７Ｉを設けていない領域）と、液晶表示パネル１０Ｊの左側の周縁領域（ゲートドライバ１０７Ｊを設けていない領域）とが隣り合うように並置され、液晶表示パネル１０Ｊ，１０Ｋは、液晶表示パネル１０Ｊの右側の周縁領域（ゲートドライバ１０７Ｊを設けた領域）と、液晶表示パネル１０Ｋの左側の周縁領域（ゲートドライバ１０７Ｋを設けた領域）とが隣り合うように並置され、液晶表示パネル１０Ｋ，１０Ｌは、液晶表示パネル１０Ｋの右側の周縁領域（ゲートドライバ１０７Ｋを設けていない領域）と、液晶表示パネル１０Ｌの左側の周縁領域（ゲートドライバ１０７Ｌを設けていない領域）とが隣り合うように並置される。
【０１２５】
最下段の液晶表示パネル１０Ｍ，１０Ｎは、液晶表示パネル１０Ｍの右側の周縁領域（ゲートドライバ１０７Ｍを設けていない領域）と、液晶表示パネル１０Ｎの左側の周縁領域（ゲートドライバ１０７Ｎを設けていない領域）とが隣り合うように並置され、液晶表示パネル１０Ｎ，１０Ｏは、液晶表示パネル１０Ｎの右側の周縁領域（ゲートドライバ１０７Ｎを設けた領域）と、液晶表示パネル１０Ｏの左側の周縁領域（ゲートドライバ１０７Ｏを設けた領域）とが隣り合うように並置され、液晶表示パネル１０Ｏ，１０Ｐは、液晶表示パネル１０Ｏの右側の周縁領域（ゲートドライバ１０７Ｏを設けていない領域）と、液晶表示パネル１０Ｐの左側の周縁領域（ゲートドライバ１０７Ｐを設けていない領域）とが隣り合うように並置される。
【０１２６】
マルチディスプレイ装置の上下方向についても同様であり、隣接するパネル間で、ソースドライバ１０６が設けられていない側の領域同士（又はソースドライバ１０６が設けられている側の領域同士）が隣り合うように、各液晶表示パネル１０Ａ〜１０Ｐが配置されている。
【０１２７】
実施の形態１３では、パネルの境界を挟んで近接する画素については、その両側のパネル間においてソースバスライン１０６ＢＬ（又はゲートバスライン１０７ＢＬ）上の信号の伝送距離が略等しくなるので、信号の伝送距離に起因するような画質への影響差がパネル間で小さくなり、各境界付近での画質の不連続性を少なくすることができる。
【０１２８】
なお、本実施の形態では、ソースドライバ１０６及びゲートドライバ１０７の相対的な位置関係は、例えば、液晶表示パネル１０Ａと液晶表示パネル１０Ｂとの間で相違するため、２種類のマスクを用意して各パネルを製造する必要がある。
【０１２９】
実施の形態１４．
実施の形態１４では、１６枚の液晶表示パネルを並置した他の形態のマルチディスプレイ装置について説明を行う。
【０１３０】
図２２は実施の形態１４に係るマルチディスプレイ装置の構成例を示す模式図である。実施の形態１４に係るマルチディスプレイ装置は、１６枚の液晶表示パネル１０Ａ〜１０Ｐからなる表示装置である。図２２に示す構成例は、矩形状の液晶表示パネル１０Ａ〜１０Ｐを４行×４列の配列で並置したものである。マルチディスプレイ装置は、入力された映像信号に基づく１つの映像を、１６枚の液晶表示パネル１０Ａ〜１０Ｐに分割して表示することにより、大画面の表示を行う。
【０１３１】
液晶表示パネル１０Ａ，１０Ｃ，１０Ｉ，１０Ｋには、表示パネル本体を駆動するための駆動回路として、ソースドライバ１０６Ａ，１０６Ｃ，１０６Ｉ，１０６Ｋがパネル下側の周縁領域に設けられ、ゲートドライバ１０７Ａ，１０７Ｃ，１０７Ｉ，１０７Ｋがパネル右側の周縁領域に設けられている。
また、液晶表示パネル１０Ｂ，１０Ｄ，１０Ｊ，１０Ｌには、表示パネル本体を駆動するための駆動回路として、ソースドライバ１０６Ｂ，１０６Ｄ，１０６Ｊ，１０６Ｌがパネル下側の周縁領域に設けられ、ゲートドライバ１０７Ｂ，１０７Ｄ，１０７Ｊ，１０７Ｌがパネル左側の周縁領域に設けられている。
また、液晶表示パネル１０Ｅ，１０Ｇ，１０Ｍ，１０Ｏには、表示パネル本体を駆動するための駆動回路として、それぞれ、ソースドライバ１０６Ｅ，１０６Ｇ，１０６Ｍ，１０６Ｏがパネル上側の周縁領域に設けられ、ゲートドライバ１０７Ｅ，１０７Ｇ，１０７Ｍ，１０７Ｏがパネル右側の周縁領域に設けられている。
また、液晶表示パネル１０Ｆ，１０Ｈ，１０Ｎ，１０Ｐには、表示パネル本体を駆動するための駆動回路として、それぞれ、ソースドライバ１０６Ｆ，１０６Ｈ，１０６Ｎ，１０６Ｐがパネル上側の周縁領域に設けられ、ゲートドライバ１０７Ｆ，１０７Ｈ，１０７Ｎ，１０７Ｐがパネル左側の周縁領域に設けられている。
【０１３２】
マルチディスプレイ装置の最上段の液晶表示パネル１０Ａ，１０Ｂは、液晶表示パネル１０Ａの右側の周縁領域（ゲートドライバ１０７Ａを設けた領域）と、液晶表示パネル１０Ｂの左側の周縁領域（ゲートドライバ１０７Ｂを設けた領域）とが隣り合うように並置され、液晶表示パネル１０Ｂ，１０Ｃは、液晶表示パネル１０Ｂの右側の周縁領域（ゲートドライバ１０７Ｂを設けていない領域）と、液晶表示パネル１０Ｃの左側の周縁領域（ゲートドライバ１０７Ｃを設けていない領域）とが隣り合うように並置され、液晶表示パネル１０Ｃ，１０Ｄは、液晶表示パネル１０Ｃの右側の周縁領域（ゲートドライバ１０７Ｃを設けた領域）と、液晶表示パネル１０Ｄの左側の周縁領域（ゲートドライバ１０７Ｄを設けた領域）とが隣り合うように並置される。
【０１３３】
また、上から２段目の液晶表示パネル１０Ｅ，１０Ｆは、液晶表示パネル１０Ｅの右側の周縁領域（ゲートドライバ１０７Ｅを設けた領域）と、液晶表示パネル１０Ｆの左側の周縁領域（ゲートドライバ１０７Ｆを設けた領域）とが隣り合うように並置され、液晶表示パネル１０Ｆ，１０Ｇは、液晶表示パネル１０Ｆの右側の周縁領域（ゲートドライバ１０７Ｆを設けていない領域）と、液晶表示パネル１０Ｇの左側の周縁領域（ゲートドライバ１０７Ｇを設けていない領域）とが隣り合うように並置され、液晶表示パネル１０Ｇ，１０Ｈは、液晶表示パネル１０Ｇの右側の周縁領域（ゲートドライバ１０７Ｇを設けた領域）と、液晶表示パネル１０Ｈの左側の周縁領域（ゲートドライバ１０７Ｈを設けた領域）とが隣り合うように並置される。
【０１３４】
また、下から２段目の液晶表示パネル１０Ｉ，１０Ｊは、液晶表示パネル１０Ｉの右側の周縁領域（ゲートドライバ１０７Ｉを設けた領域）と、液晶表示パネル１０Ｊの左側の周縁領域（ゲートドライバ１０７Ｊを設けた領域）とが隣り合うように並置され、液晶表示パネル１０Ｊ，１０Ｋは、液晶表示パネル１０Ｊの右側の周縁領域（ゲートドライバ１０７Ｊを設けていない領域）と、液晶表示パネル１０Ｋの左側の周縁領域（ゲートドライバ１０７Ｋを設けていない領域）とが隣り合うように並置され、液晶表示パネル１０Ｋ，１０Ｌは、液晶表示パネル１０Ｋの右側の周縁領域（ゲートドライバ１０７Ｋを設けた領域）と、液晶表示パネル１０Ｌの左側の周縁領域（ゲートドライバ１０７Ｌを設けた領域）とが隣り合うように並置される。
【０１３５】
最下段の液晶表示パネル１０Ｍ，１０Ｎは、液晶表示パネル１０Ｍの右側の周縁領域（ゲートドライバ１０７Ｍを設けた領域）と、液晶表示パネル１０Ｎの左側の周縁領域（ゲートドライバ１０７Ｎを設けた領域）とが隣り合うように並置され、液晶表示パネル１０Ｎ，１０Ｏは、液晶表示パネル１０Ｎの右側の周縁領域（ゲートドライバ１０７Ｎを設けていない領域）と、液晶表示パネル１０Ｏの左側の周縁領域（ゲートドライバ１０７Ｏを設けていない領域）とが隣り合うように並置され、液晶表示パネル１０Ｏ，１０Ｐは、液晶表示パネル１０Ｏの右側の周縁領域（ゲートドライバ１０７Ｏを設けた領域）と、液晶表示パネル１０Ｐの左側の周縁領域（ゲートドライバ１０７Ｐを設けた領域）とが隣り合うように並置される。
【０１３６】
マルチディスプレイ装置の上下方向についても同様であり、隣接するパネル間で、ソースドライバ１０６が設けられていない側の領域同士（又はソースドライバ１０６が設けられている側の領域同士）が隣り合うように、各液晶表示パネル１０Ａ〜１０Ｐが配置されている。
【０１３７】
実施の形態１４では、パネルの境界を挟んで近接する画素については、その両側のパネル間においてソースバスライン１０６ＢＬ（又はゲートバスライン１０７ＢＬ）上の信号の伝送距離が略等しくなるので、信号の伝送距離に起因するような画質への影響差がパネル間で小さくなり、各境界付近での画質の不連続性を少なくすることができる。
【０１３８】
なお、本実施の形態では、ソースドライバ１０６及びゲートドライバ１０７の相対的な位置関係は、例えば、液晶表示パネル１０Ａと液晶表示パネル１０Ｂとの間で相違するため、２種類のマスクを用意して各パネルを製造する必要がある。
【０１３９】
以上のように、実施の形態１〜１４では、ソースドライバ１０６が設けられているパネルの周縁領域同士（若しくはゲートドライバ１０７が設けられているパネルの周縁領域同士）、又はソースドライバ１０６が設けられていないパネルの周縁領域同士（若しくはゲートドライバ１０７が設けられていないパネルの周縁領域同士）を隣り合わせて各液晶表示パネルを配置して、マルチディスプレイ装置を構成している。
このような配置では、パネルの境界を挟んで近接する画素については、各パネルにおける信号の伝送距離が略等しくなり、ソースバスライン１０６ＢＬ又はゲートバスライン１０７ＢＬによる波形の鈍りに伴う印加電圧の低下の度合いは、パネルの境界を挟んで両側の画素で同程度となるため、パネルの境界付近での表示輝度の連続性を改善することができる。
【０１４０】
なお、実施の形態１〜１４では、２行×１列、１行×２列、３行×１列、１行×３列、２行×２列、３行×３列、４行×４列の配列で液晶表示パネル１０を並置したマルチディスプレイ装置について説明したが、これらの配置は何れも例示に過ぎない。
マルチディスプレイ装置を構成する複数の液晶表示パネル１０のうち少なくとも２枚が、ソースドライバ１０６が設けられている側の領域同士、ゲートドライバ１０７が設けられている側の領域同士、ソースドライバ１０６が設けられていない側の領域同士、又はゲートドライバ１０７が設けられていない側の領域同士を隣り合わせて並置したものであれば、その２枚のパネル間の境界において表示輝度の連続性を改善することができる。
【符号の説明】
【０１４１】
１０  液晶表示パネル
１００  表示パネル本体
１０１  映像信号入力部
１０２  映像信号処理部
１０３  色信号補正部
１０４  制御部
１０５  ＬＣＤタイミングコントローラ
１０６  ソースドライバ
１０７  ゲートドライバ
１１０  駆動用電圧発生回路
１１１  対向電圧調整回路
１２０  ＬＥＤタイミングコントローラ
１２１  ＬＥＤドライバ
１２２  ＬＥＤバックライト
【図１】
2014032314.tif 000003
【図２】
2014032314.tif 000004
【図３】
2014032314.tif 000005
【図４】
2014032314.tif 000006
【図５】
2014032314.tif 000007
【図６】
2014032314.tif 000008
【図７】
2014032314.tif 000009
【図８】
2014032314.tif 000010
【図９】
2014032314.tif 000011
【図１０】
2014032314.tif 000012
【図１１】
2014032314.tif 000013
【図１２】
2014032314.tif 000014
【図１３】
2014032314.tif 000015
【図１４】
2014032314.tif 000016
【図１５】
2014032314.tif 000017
【図１６】
2014032314.tif 000018
【図１７】
2014032314.tif 000019
【図１８】
2014032314.tif 000020
【図１９】
2014032314.tif 000021
【図２０】
2014032314.tif 000022
【図２１】
2014032314.tif 000023
【図２２】
2014032314.tif 000024